(57)【要約】【課題】葬儀において参列者が遺影を見ながら発するメッセージを収集するメッセージ収集システム及びメッセージ収集方法を提供すること。【解決手段】故人の遺影２を視認できる位置に配置され、疑似受話器受部１２と疑似受話器１１とを備える疑似電話機０と、疑似受話器１１の持ち上げを検出したことに応じて、マイクロフォンを用いて音声を記録する記録装置とを備えることを特徴とするメッセージ収集システム１を提供する。また、疑似受話器１１の持ち上げを検出したことに応じてカメラ３を用いて映像を記録することもできる。メッセージ収集システム１を利用して、通夜又は告別においてメッセージを収集するメッセージ収集方法を提供する。【選択図】図１
2019088365.tif 000002
【特許請求の範囲】
【請求項１】
葬儀において参列者からメッセージを収集するメッセージ収集システムであって、
故人の遺影を視認できる位置に配置され、疑似受話器受部と前記疑似受話器受部上に設けられ一方にマイクロフォンが内蔵された２つの略半球体と該２つの略半球体を結合する把持部を有する疑似受話器とを備える、疑似電話機と、
前記疑似受話器が前記疑似受話器受部から持ち上げられたことを検出するセンサと、
前記センサが前記疑似受話器の持ち上げを検出したことに応じて、前記マイクロフォンを用いて音声を記録する記録装置と、
を備えることを特徴とするメッセージ収集システム。
【請求項２】
前記遺影の近傍から前記疑似受話器の方向の映像を撮影するカメラをさらに備え、
前記記録装置は、前記センサが前記疑似受話器の持ち上げを検出したことに応じて、さらに、前記カメラを用いて映像を記録することを特徴とする、請求項１に記載のメッセージ収集システム。
【請求項３】
前記記録装置は、記録した前記音声及び前記映像を１つのデータとして記録することを特徴とする、請求項２に記載のメッセージ収集システム。
【請求項４】
前記記録装置は、前記センサが、前記疑似受話器が前記疑似受話器受部上に戻されたことを検出したことに応じて、前記音声の記録及び前記映像の撮影を止めることを特徴とする、請求項３に記載のメッセージ収集システム。
【請求項５】
前記疑似受話器受部は、前記疑似受話器を載置するダイヤルトーン型の疑似電話機を模した造形物を有することを特徴とする、請求項１から４のいずれか１項に記載のメッセージ収集システム。
【請求項６】
前記センサは、前記疑似受話器受部から上方に突出したフックの位置に基づいて動作するものであることを特徴とする、請求項５に記載のメッセージ収集システム。
【請求項７】
前記疑似受話器及び前記疑似受話器受部は、彩度が２０％以下の同一色に彩色されていることを特徴とする、請求項５又は６に記載のメッセージ収集システム。
【請求項８】
前記２の略半球部の他方にスピーカが内蔵され、
前記スピーカから音声を出力する出力装置を備え、
前記出力装置は、前記センサが前記疑似受話器の持ち上げを検出したことに応じて前記スピーカから音声を出力することを特徴とする、請求項１から７のいずれか１項に記載のメッセージ収集システム。
【請求項９】
前記出力装置は、前記センサが前記疑似受話器の持ち上げを検出した後であり、前記マイクロフォンからの入力音声のない時間が所定の時間継続し、かつ、前記疑似受話器が前記疑似受話器受部上に戻されたことを検出しない時に、前記スピーカから音声を出力することを特徴とする請求項８に記載のメッセージ収集システム。
【請求項１０】
前記音声は、生前に故人が残した音声を録音したものであることを特徴とする、請求項８又は９に記載のメッセージ収集システム。
【請求項１１】
請求項１から１０のいずれか１項に記載のメッセージ収集システムを用いて、通夜又は告別においてメッセージを収集することを特徴とする、メッセージ収集方法。
【発明の詳細な説明】
【技術分野】
【０００１】
本発明は、葬儀において参列者からメッセージを収集するメッセージ収集システム及びメッセージ収集方法に関する。
【背景技術】
【０００２】
通夜、告別式等の葬儀において、参列者は故人の死をいたんで弔問する。葬儀においては故人の遺影が掲示され、遺影を見た参列者は、生前の故人の行動を思い起こす。また、参列者に対して、故人が生前に残した音声メッセージを流すことがあり（例えば、特許文献１参照）、参列者は、生前の故人の行動をより鮮明に思い起こす。
【０００３】
生前の故人の行動を思い起こした参列者は、故人を偲んで生前には伝えきれなかった思い、今だから口にできる思いなどのメッセージを残したいと考える。そのメッセージは、遺族にとっては、これまで知ることのなかった故人の足跡を知ることに繋がる。
【０００４】
かかるメッセージを収集して保存すれば、参列者にとっては故人との別れをより意味のあるものにすることができ、遺族にとっては故人の足跡を思い起こす貴重な資料となる。
【先行技術文献】
【特許文献】
【０００５】
【特許文献１】特開２００１−２５６３１９号公報
【発明の概要】
【発明が解決しようとする課題】
【０００６】
本発明は、葬儀において参列者が遺影を見ながら発するメッセージを収集するメッセージ収集システム及びメッセージ収集方法を提供することを課題とする。
【課題を解決するための手段】
【０００７】
本発明のメッセージ収集システムは、
葬儀において参列者からメッセージを収集するメッセージ収集システムであって、
故人の遺影を視認できる位置に配置され、疑似受話器受部と前記疑似受話器受部上に設けられ一方にマイクロフォンが内蔵された２つの略半球体と該２つの略半球体を結合する把持部を有する疑似受話器とを備える、疑似電話機と、
前記疑似受話器が前記疑似受話器受部から持ち上げられたことを検出するセンサと、
前記センサが前記疑似受話器の持ち上げを検出したことに応じて、前記マイクロフォンを用いて音声を記録する記録装置と、
を備えることを特徴とする。
【０００８】
この特徴によれば、故人の遺影を見た参列者が、疑似電話機に向けて、故人に話しかける形態で、参列者の心情が表現されたメッセージを収集することができる。
【０００９】
本発明のメッセージ収集システムは、
前記遺影の近傍から前記疑似受話器の方向の映像を撮影するカメラをさらに備え、
前記記録装置は、前記センサが前記疑似受話器の持ち上げを検出したことに応じて、さらに、前記カメラを用いて映像を記録することを特徴とする。
【００１０】
この特徴によれば、参列者の映像を音声と合わせて記録することができ、参列者の思いがより伝わるメッセージとなる。
【００１１】
本発明のメッセージ収集システムは、
前記記録装置は、記録した前記音声及び前記映像を１つのデータとして記録することを特徴とする。
【００１２】
この特徴によれば、音声と映像とが合わされた「動画ファイル」等のデータとなり、遺族にとって理解しやすいメッセージとなる。
【００１３】
本発明のメッセージ収集システムは、
前記記録装置は、前記センサが、前記疑似受話器が前記疑似受話器受部上に戻されたことを検出したことに応じて、前記音声の記録及び前記映像の撮影を止めることを特徴とする。
【００１４】
この特徴によれば、参列者が伝えたいメッセージのみが記録され、他の情報を含まないものとなる。
【００１５】
本発明のメッセージ収集システムは、
前記疑似受話器受部は、前記疑似受話器を載置するダイヤルトーン型の疑似電話機を模した造形物を有することを特徴とする。
【００１６】
この特徴によれば、故人が活動していた時代に使用されたであろう電話機を模し、その時代を思い起こさせて、参列者が故人を忍ぶ雰囲気をより効果的に醸成することができる。
【００１７】
本発明のメッセージ収集システムは、
前記センサは、前記疑似受話器疑似受話器受部から上方に突出したフックの位置に基づいて動作するものであることを特徴とする。
【００１８】
この特徴によれば、故人が活動していた時代に使用されたであろう電話機をより忠実に模したものとなる。
【００１９】
本発明のメッセージ収集システムは、
前記疑似受話器及び前記疑似受話器受部は、彩度が２０％以下の同一色に彩色されていることを特徴とする。
【００２０】
この特徴によれば、故人が活動していた時代に使用されたであろう電話機を模すと共に、葬儀の雰囲気に合わせた色彩となる。
【００２１】
本発明のメッセージ収集システムは、
前記２の略半球部の他方にスピーカが内蔵され、
前記スピーカから音声を出力する出力装置を備え、
前記出力装置は、前記センサが前記疑似受話器の持ち上げを検出したことに応じて前記スピーカから音声を出力することを特徴とする。
【００２２】
この特徴によれば、参列者は、一方的にメッセージを伝えるのでなく、会話をしている雰囲気の中でメッセージを伝えることができる。
【００２３】
本発明のメッセージ収集システムは、
前記出力装置は、前記センサが前記疑似受話器の持ち上げを検出した後であり、前記マイクロフォンからの入力音声のない時間が所定の時間継続し、かつ、前記疑似受話器が前記疑似受話器受部上に戻されたことを検出しない時に、前記スピーカから音声を出力することを特徴とする。
【００２４】
この特徴によれば、参列者が会話をしている雰囲気がより強く醸成される。
【００２５】
本発明のメッセージ収集システムは、
前記音声は、生前に故人が残した音声を録音したものであることを特徴とする。
【００２６】
この特徴によれば、参列者は、故人と会話をしている雰囲気の中でメッセージを伝えることができる。
【００２７】
本発明のメッセージ収集方法は、
本発明のメッセージ収集システムを用いて、通夜又は告別においてメッセージを収集することを特徴とする。
【００２８】
この特徴によれば、本発明のメッセージ収集システムを用いて、通夜又は告別において、葬儀の雰囲気を乱さずに、メッセージを収集することができる。
【発明の効果】
【００２９】
本発明のメッセージ収集システムによれば、葬儀において参列者が遺影を見ながら発するメッセージを収集することが可能となる。
【００３０】
本発明のメッセージ収集方法によれば、又は告別において参列者が遺影を見ながら故人を思い起こして発するメッセージを収集することが可能となる。
【図面の簡単な説明】
【００３１】
【図１】図１は、葬儀場に設けられたメッセージ収集システムの構成を簡略的に示す図である。
【図２】図２は、メッセージ収集システムの制御系の構成を示すブロック図である。
【図３】図３は、参列者が疑似受話器を取って故人に伝えるメッセージ及び映像を記録している状態を示す図である。
【発明を実施するための形態】
【００３２】
以下、本発明の一実施例について説明する。
【００３３】
図１及び図２は、それぞれ、葬儀場に設けられたメッセージ収集システム１の簡略構成及びシステムの制御系９の構成を示す。メッセージ収集システム１は、葬儀において参列者からメッセージを収集するためのシステムであって、置机４、疑似電話機１０、カメラ３、及び制御装置２０を備える。なお、葬儀場内に故人の遺影２が設置され、カメラ３は遺影の脇に設置されている。
【００３４】
置机４は、疑似電話機１０を設置するテーブルであり、葬儀場内の故人の遺影２を視認できる位置に配置される。置机４の上面にはクロス４ａが張られ、置机４の前面に垂れ下げられているものとする。
【００３５】
疑似電話機１０は、置机４上に設けられ、参列者が故人へのメッセージを伝えるために使用するものであり、疑似受話器１１及び疑似受話器受部１２を有する。
【００３６】
疑似受話器１１は、２つの略半球体１１ａ，１１ｂと把持部１１ｃを有する。略半球体１１ａにはマイクロフォン１１ａ０が内蔵されている。略半球体１１ｂにはスピーカ１１ｂ０が内蔵されている。把持部１１ｃは、２つの略半球体１１ａ，１１ｂを結合する。
【００３７】
疑似受話器受部１２は、疑似受話器１１を載置する器具であり、置机４上に設置される。疑似受話器受部１２は、フック１２ａ及びセンサ１２ｂを有する。
【００３８】
フック１２ａは、疑似受話器受部１２の上面から上方に突出する一対の支持部材である。フック１２ａの上端はＵ字状に成形され、把持部１１ｃをＵ字の内側に配して疑似受話器１１を２点で支持する。フック１２ａは、疑似受話器受部１２内に設けられた付勢部材（不図示）により上方に付勢され、疑似受話器１１が載置されるとその重量により降下し、疑似受話器１１が取り上げられると付勢部材により上昇する。
【００３９】
センサ１２ｂは、疑似受話器１１が置机４、すなわち疑似受話器受部１２から持ち上げられたことを検出する検出器である。センサ１２ｂは、例えば、フック１２ａの上昇及び下降を検出することでそれぞれ疑似受話器１１が疑似受話器受部１２から持ち上げられたこと及び載置されたことを検出する。例えば、フック１２ａの下方に電極を設け、フック１２ａの位置に基づいて通電／非通電を切換えることでセンサ１２ｂを構成することができる。
【００４０】
疑似電話機１０は、故人が存命していた時代の電話機を模し、故人を忍ぶ雰囲気をつくることができる。例えば、ダイヤルトーン型の電話機（いわゆる黒電話）を模した造形物とすればよい。
【００４１】
そのため、疑似受話器１１及び疑似受話器受部１２を、黒色に近い彩度が２０％以下、好ましくは１０％以下の同一色とするとよい。同一色であるので、疑似受話器１１及び疑似受話器受部１２が１つの疑似電話機１０に見える。彩度が低いので、葬儀の雰囲気に合い、故人が存命していた時代の電話機のように見える。
【００４２】
カメラ３は、遺影２の近傍（ここでは一例として遺影２の上端中央）に設置されて、疑似受話器１１の方向の映像を撮影する。それにより、故人の遺影２を視認しつつ、故人にメッセージを伝える参列者を撮像することができる。なお、カメラ３の設置場所は遺影２の近傍に限らず、疑似電話機１０の近くの参列者を撮像することのできる位置であれば、任意の位置に設けてよい。
【００４３】
制御装置２０は、パーソナルコンピュータ、タブレットコンピュータ等のコンピュータ端末であり、専用プログラムを実行することで記録装置２１及び出力装置２２のそれぞれの機能を発現する。制御装置２０は、カメラ３、疑似受話器１１に内蔵されたマイクロフォン１１ａ０及びスピーカ１１ｂ０、及び疑似受話器受部１２内のセンサ１２ｂのそれぞれに接続されてこれらを制御する。
【００４４】
記録装置２１は、センサ１２ｂが疑似受話器１１の持ち上げを検出したことに応じて、マイクロフォン１１ａを用いて音声を記録するとともにカメラ３を用いて映像を記録し、センサ１２ｂが、疑似受話器１１が置机４（すなわち疑似受話器受部１２）上に戻されたことを検出したことに応じて、音声の記録及び映像の記録を止める。
【００４５】
出力装置２２は、スピーカ１１ｂから音声を出力する。
【００４６】
メッセージ収集システム１の使用方法を説明する。
【００４７】
図３に示すように、葬儀の参列者（不図示）は、置机４の前で故人の遺影２を視認して置机４上に設けられた疑似受話器１１の把持部１１ｃを把持して略半球体１１ａを口元に近づけ、略半球体１１ｂを耳に当てる。参列者が疑似受話器１１を疑似受話器受部１２から取り上げたことで、センサ１２ｂにより疑似受話器１１が持ち上げられたことが検出され、出力装置２２により疑似受話器１１に内蔵されたスピーカ１１ｂ０から参列者に音声が伝えられる。また、記録装置２１が作動して疑似受話器１１に内蔵されたマイクロフォン１１ａ０から音声メッセージを記録し、カメラ３を用いて疑似受話器１１を把持する参列者の映像を記録する。
【００４８】
スピーカ１１ｂ０から参列者に伝えられる音声は、例えば「故人へのメッセージをおっしゃってください」というように、メッセージを案内するものである。ここで、生前に故人が残した音声を録音したものを用いて「メッセージをよろしく」等とすると、参列者は故人を思い出して、より親密なメッセージを録音することができる。
【００４９】
また、疑似受話器１１が持ち上げられたことを検出の後、マイクロフォン１１ａ０からの音声入力がない時間が一定時間続くと、出力装置２２により疑似受話器１１に内蔵されたスピーカ１１ｂ０から参列者に音声を伝える。この音声は、会話におけるいわゆる「合いの手」であり、例えば、「故人へのメッセージを続けてください」というものとすることができる。ここで、生前に故人が残した音声を録音したものを用いて「他にも何かあるかね？」等とすると、参列者は故人と会話しているような感覚を得ることができ、より親密なメッセージを録音することができる。なお、音声入力がない時間が一定時間続くことは、制御系９のプログラムがマイクロフォン１１ａ０からの入力レベルを監視し、一定時間にわたって所定のレベルに到達しないことで検出することができる。
【００５０】
参列者が故人へのメッセージを残し終えて把持していた疑似受話器１１を置机４（疑似受話器受部１２）に戻すと、センサ１２ｂにより疑似受話器１１が置机４上に戻されたことが検出されて、記録装置２１は音声の記録及び映像の記録を止める。これにより、メッセージの記録が完了する。
【００５１】
音声メッセージ及び映像を、１つのデータ（例えばａｖｉ形式の動画）として記録することで、遺族による鑑賞が容易となる。例えば、収集したメッセージを全て動画として記録して、全ての動画を収録したＤＶＤメディアや、全ての動画を再生可能なホームページを遺族に提供することが可能である。
【００５２】
以上詳細に説明したように、本実施例に係るメッセージ収集システム１は、故人の遺影を見ながら参列者が伝えるメッセージを、参列者の画像と共に記録することができる。遺族にとって、故人の足跡を知ることのできるものとなる。また、本実施例に係るメッセージ収集システム１を利用し、通夜又は告別においてメッセージを収集するメッセージ収集方法は、メッセージを有効に収集することができる。
【産業上の利用可能性】
【００５３】
葬儀において参列者が遺影を見ながら発するメッセージを収集するメッセージ収集システム及びメッセージ収集方法である。多くの葬儀における利用が期待される。
【符号の説明】
【００５４】
１        メッセージ収集システム
２        遺影
３        カメラ
４        置机
４ａ      クロス
９        制御系
１０      疑似電話機
１１      疑似受話器
１１ａ    略半球体
１１ａ０  マイクロフォン
１１ｂ    略半球体
１１ｂ０  スピーカ
１１ｃ    把持部
１２      疑似受話器受部
１２ａ    フック
１２ｂ    センサ
２０      制御装置
２１      記録装置
２２      出力装置
【図１】
2019088365.tif 000003
【図２】
2019088365.tif 000004
【図３】
2019088365.tif 000005